(57)【特許請求の範囲】
【請求項１】
床面上に立設した左右１対の支持体と、
前記両支持体の下部間に架設した、前記両支持体より低寸の下部パネルと、
前記下部パネルの上方に、前後方向に挿通する空間を形成するようにして、前記両支持体の上部間に架設した上部パネル
とを備え、左右の前記支持体のいずれか一方または両方を間仕切パネルとし、この間仕切パネルと下部パネルおよび上部パネルとを、それぞれ方形の枠体を備えるものとし、前記下部パネルおよび上部パネルの枠体と、前記間仕切パネルの枠体とを、結合手段をもって互いに結合したことを特徴とする間仕切パネル装置。
【請求項２】
床面上に立設した左右１対の支持体と、
前記両支持体の下部間に架設した、前記両支持体より低寸の下部パネルと、
前記下部パネルの上方に、前後方向に挿通する空間を形成するようにして、前記両支持体の上部間に架設した上部パネル
とを備え、左右の前記支持体のいずれか一方または両方を支柱とし、かつ前記下部パネルと上部パネルとを、それぞれ方形の枠体を備えるものとし、前記下部パネルおよび上部パネルの枠体と、前記支柱とを、結合手段をもって互いに結合したことを特徴とする間仕切パネル装置。
【請求項３】
請求項１または２に記載の間仕切パネル装置と、
前記間仕切パネル装置における下部パネルと上部パネルとの間の空間内に一部が配設され、かつ他部が前記下部パネルおよび上部パネルより前後方向に突出して、上面が作業面をなす天板と、
前記天板を支持する天板支持手段
とを備えることを特徴とするワークステーション装置。
【請求項４】
天板支持手段を、下端が接床し、かつ上端をもって天板の他部を支承する脚を備えるものとした請求項３記載のワークステーション装置。
【発明の詳細な説明】
【技術分野】
【０００１】
本発明は、オフィス等の執務空間を仕切る間仕切装置、およびそれを有するワークステーション装置に関する。
【背景技術】
【０００２】
オフィス等の執務空間に配設することにより、執務空間を複数に区分するようにした間仕切パネル装置、およびこの間仕切パネル装置に作業用の天板を取付けることにより、一人または複数人用の作業空間を、他の執務空間と区分するようにしたワークステーション装置は公知である(例えば特許文献１〜３参照)。
【先行技術文献】
【特許文献】
【０００３】
【特許文献１】特開２００３−１８４２１０号公報
【特許文献２】特開２００３−１６６３０２号公報
【特許文献３】特開２００９−２６１８２１号公報
【発明の概要】
【発明が解決しようとする課題】
【０００４】
しかし、上述のような従来の間仕切パネル装置においては、机の天板上に載置した電気機器の配線等を、左右方向に並べて連結した複数の間仕切パネルによって仕切られた前後の空間に跨って通したい場合、上記配線を、一旦床面まで垂下させて、床面と間仕切パネルの下端との間に形成した空間に通さなければならず、その配線作業が面倒である。
【０００５】
また、図５に示すように、長さＬが一定(一般的には９０ｃｍ)に定められた複数の標準の間仕切パネル５０を、左右方向に直線状に並べて連結するとともに、そのうちの１個おきの接合部５１から、前方に向けた同じ標準の間仕切パネル５２を、その幅Ｗの中心が接合部５１と一致するようにしてＴ字状に結合することにより、２個の直線状に連続する間仕切パネル５０、５０と、その両側部から前方を向く左右１対の間仕切パネル５２、５２とをもって平面視コ字状の囲いを形成し、その内側を作業空間５３とし、例えば、標準の長さＬ(一般的には９０ｃｍ)の２個の作業用天板５４、５４を、図５に示すように、前方を向く左右１対の間仕切パネル５２、５２の内側面に沿うように配設したり、図６に示すように、直線状に並べた２個の間仕切パネル５０、５０に沿うように配設したりして、レイアウト変更可能として使用したい場合がある。
【０００６】
しかし、実際には、図６に示すレイアウトでは、左右方向に直線状に並べた２個の作業用天板５４、５４の両側端部が、前方を向く左右の間仕切パネル５２、５２と干渉し(図６の破線部分参照)、このようなレイアウト変更はできない。
このような現象は、複数の間仕切パネルを、Ｌ字状、Ｔ字状、または十字状等に連結する際の連結の仕方によって生じるものであり、従来は、それに対応するため、標準寸法と異なる寸法の間仕切パネルや作業用天板を用意したり、間仕切パネルのコーナー部に、間仕切パネルの幅Ｗと同一幅の支柱を配設したりしているが、いずれも商品の在庫管理や施工作業が繁雑となっている。
【０００７】
本発明は、従来の技術が有する上記のような問題点に鑑みてなされたもので、間仕切パネルによって仕切られた前後の空間間における配線その他のものの挿通を可能とするとともに、十分な強度を維持することができ、しかも簡単に組み立てることができるようにした間仕切パネル装置、およびそれを有することによって、作業用天板等のレイアウト変更の許容度を大としうるようにしたワークステーション装置を提供することを目的としている。
【課題を解決するための手段】
【０００８】
本発明によると、上記課題は、次のようにして解決される。
（１）間仕切パネル装置において、床面上に立設した左右１対の支持体と、前記両支持体の下部間に架設した、前記両支持体より低寸の下部パネルと、前記下部パネルの上方に、前後方向に挿通する空間を形成するようにして、前記両支持体の上部間に架設した上部パネルとを備え、左右の前記支持体のいずれか一方または両方を間仕切パネルとし、この間仕切パネルと下部パネルおよび上部パネルとを、それぞれ方形の枠体を備えるものとし、前記下部パネルおよび上部パネルの枠体と、前記間仕切パネルの枠体とを、結合手段をもって互いに結合する。
【０００９】
このような構成とすると、下部パネルと上部パネルとが左右１対の支持体間にそれぞれ架設されているので、間仕切パネル装置全体の強度を低下させることなく、下部パネルと上部パネルとの間に空間を形成することができ、この空間に、テーブルの天板や天板上に載置した電気機器の配線等を挿通させることができる。
したがって、電気機器の配線等を、一旦床面まで垂下させて、床面と間仕切パネルの下端との間に形成した空間に通す必要がなくなる。
【００１０】
また、下部パネルと上部パネルとは、隣接する間仕切パネルに簡単かつ強固に結合され、間仕切パネル装置全体の強度を高めることができるとともに、組立作業性を向上させることができる。
【００１１】
（２）間仕切パネル装置において、床面上に立設した左右１対の支持体と、前記両支持体の下部間に架設した、前記両支持体より低寸の下部パネルと、前記下部パネルの上方に、前後方向に挿通する空間を形成するようにして、前記両支持体の上部間に架設した上部パネルとを備え、左右の前記支持体のいずれか一方または両方を支柱とし、かつ前記下部パネルと上部パネルとを、それぞれ方形の枠体を備えるものとし、前記下部パネルおよび上部パネルの枠体と、前記支柱とを、結合手段をもって互いに結合する。
【００１２】
このような構成とすると、下部パネルと上部パネルとが左右１対の支持体間にそれぞれ架設されているので、間仕切パネル装置全体の強度を低下させることなく、下部パネルと上部パネルとの間に空間を形成することができ、この空間に、テーブルの天板や天板上に載置した電気機器の配線等を挿通させることができる。
したがって、電気機器の配線等を、一旦床面まで垂下させて、床面と間仕切パネルの下端との間に形成した空間に通す必要がなくなる。
また、一端または両端が他の間仕切パネルに連結されない間仕切パネルにおいても、上下方向の中間部に空間を形成することができ、そこにテーブルの天板や天板上に載置した電気機器の配線等を挿通させることができる。
さらに、下部パネルと上部パネルとは、隣接する支柱に簡単かつ強固に結合され、間仕切パネル装置全体の強度を高めることができるとともに、組立作業性を向上させることができる。
【００１３】
（３）ワークステーション装置において、上記(１)または(２)項に記載の間仕切パネル装置と、前記間仕切パネル装置における下部パネルと上部パネルとの間の空間内に一部が配設され、かつ他部が前記下部パネルおよび上部パネルより前後方向に突出して、上面が作業面をなす天板と、前記天板を支持する天板支持手段とを備えるものとする。
【００１４】
このような構成とすると、作業用の天板の一部を、下部パネルと上部パネルとの間の空間内に配設することによって、天板のレイアウト変更の許容度を大とすることができる。
【００１５】
（４）上記(３)項において、天板支持手段を、下端が接床し、かつ上端をもって天板の他部を支承する脚を備えるものとする。
【００１６】
このような構成とすると、天板を、間仕切パネル装置と脚とによって、安定よく支持することができる。
【発明の効果】
【００１７】
本発明によると、間仕切パネルによって仕切られた前後の空間間における配線その他のものの挿通を可能とするとともに、十分な強度を維持することができ、しかも簡単に組み立てることができるようにした間仕切パネル装置、およびそれを有することによって、作業用天板等のレイアウト変更の許容度を大としうるようにしたワークステーション装置を提供することができる。
【図面の簡単な説明】
【００１８】
【図１】本発明のワークステーション装置の第１の実施形態における一部の斜視図である。
【図２】同じく、分解斜視図である。
【図３】本発明のワークステーション装置の第２の実施形態における一部の斜視図である。
【図４】同じく、分解斜視図である。
【図５】従来のワークステーション装置を模式的に示す平面図である。
【図６】同じく、レイアウト変更したときの状態を模式的に示す平面図である。
【発明を実施するための形態】
【００１９】
以下、本発明の実施形態を、添付図面に基づいて説明する。
図１および図２は、本発明のワークステーション装置の第１の実施形態の一部を示す。
このワークステーション装置は、間仕切パネル装置Ａと、テーブル装置Ｂとを備えている。
【００２０】
間仕切パネル装置Ａは、複数の間仕切パネルを結合することにより、床面上に平面視Ｌ字状、コ字状、Ｈ字状等に立設され、室内を区画するものであるが、図１は、その一部の直線部分のみを示したものである。
図１に示す部分において、間仕切パネル装置Ａは、床面１上に立設した左右１対の支持体としての標準間仕切パネル２、２と、両標準間仕切パネル２、２の下部間に架設した、標準間仕切パネル２より低寸の下部パネル３と、下部パネル３の上方に、前後方向に挿通する空間Ｓを形成するようにして、両標準間仕切パネル２、２の上部間に架設した上部パネル４とを備えている。
【００２１】
図２に示すように、標準間仕切パネル２、下部パネル３、および上部パネル４は、それぞれ方形の枠体５を備えている。
各枠体５は、左右１対の縦杆６、６の上端部同士、および下端部同士を、左右方向を向く上下１対の横杆７、７をもって連結したものよりなっている。
【００２２】
標準間仕切パネル２における枠体５の上下方向の中間部には、左右方向を向く中間部連結杆８が、左右の縦杆６、６間に架設されている。
標準間仕切パネル２における上下の横杆７、７と中間部の補強杆８との前後両面には、前後外向きの開口部より奥部が上下に拡開する長手方向を向くあり溝状の係合溝９が設けられた左右方向を向くレール部１０、１０が、上下の横杆７、７と中間部の補強杆８との前後両面より前後に突出し、かつ両側端が各縦杆６の前後面に沿って、各縦杆６の外側端まで至るようにして形成されている。
【００２３】
上段のレール部１０と中間のレール部１０との間、および中間のレール部１０と下段のレール部１０との間における枠体５の各縦杆６の前後両面には、化粧パネル１１の背面における左右の端部に設けた下向き鉤形の上下１対のフック１２、１２を係止するための係合孔１３、１３がそれぞれ設けられている。
【００２４】
各化粧パネル１１は、これらのフック１２、１２を係合孔１３、１３に係止することにより、上段のレール部１０と中間のレール部１０との間、および中間のレール部１０と下段のレール部１０との間において、表面が各レール部１０の表面と同一面をなすようにして、枠体５に着脱自在に装着されている。
各化粧パネル１１の左右方向の寸法は、枠体５の左右方向の寸法と同一としてある。
【００２５】
枠体５の下方の横杆７の下面における左右両側部には、床面１の不陸調整用のアジャスタボルト１４、１４が設けられている。
【００２６】
下部パネル３における枠体５の上下寸法は、標準間仕切パネル２における下方の横杆７の下面から中間部連結杆８の上面までの寸法と同一としてあり、この枠体５における上下の横杆７、７の前後両面には、標準間仕切パネル２におけるのと同様のレール部１０、１０が、同様にして形成されている。
【００２７】
また、下部パネル３の枠体５における各縦杆６の前後両面には、標準間仕切パネル２におけるのと同様の上下１対の係合孔１３、１３がそれぞれ設けられており、この係合孔１３、１３に、化粧パネル１１の背面における左右の端部に設けた下向き鉤形の上下１対のフック１２、１２を係止することにより、化粧パネル１１は、その表面が各レール部１０の表面と同一面をなすようにして、上下のレール部１０、１０間において、枠体５に着脱自在に装着されている。
【００２８】
下部パネル３の枠体５における下方の横杆７の下面には、標準間仕切パネル２におけるのと同様の左右１対のアジャスタボルト１４、１４が設けられている。
【００２９】
上部パネル４における枠体５の上下寸法は、標準間仕切パネル２における上方の横杆７の上面から中間部連結杆８の上面までの寸法より小としてあり、この枠体５における上方の横杆７のみの前後両面には、標準間仕切パネル２におけるのと同様のレール部１０、１０が、同様にして形成されており、下方の横杆７には、レール部１０は形成されていない。
【００３０】
上部パネル４の枠体５における各縦杆６の前後両面には、標準間仕切パネル２におけるのと同様の上下１対の係合孔１３、１３がそれぞれ設けられており、この係合孔１３、１３に、化粧パネル１１の背面における左右の端部に設けた下向き鉤形の上下１対のフック１２、１２を係止することにより、化粧パネル１１は、その表面がレール部１０の表面と同一面をなすようにして、上方のレール部１０の下方において、枠体５に着脱自在に装着されている。
上部パネル４の枠体５に装着した化粧パネル１１の下端は、この枠体５における下方の横杆７の下面と整合するようにしておくのが好ましい。
【００３１】
下部パネル３および上部パネル４の各枠体５と、支持体である左右の標準間仕切パネル２の枠体５とは、それらの互いに対向する縦杆６、６同士を互いに突き合わせて、両縦杆６、６同士を貫通する、結合手段である上下１対のボルト１５、１５と、ナット１６、１６とをもって締着することにより、互いに左右方向に一直線状に並ぶようにして結合されている。
【００３２】
上記のように、上部パネル４における枠体５の上下寸法は、標準間仕切パネル２における上方の横杆７の上面から中間部連結杆８の上面までの寸法より小としてあり、上部パネル４の上端面と標準間仕切パネル２の上端面とが整合するようにして、上部パネル４を左右の標準間仕切パネル２に結合することにより、上部パネル４と、その下方の下部パネル３との間に、前後方向に挿通する空間Ｓが形成される。
【００３３】
この空間Ｓに、後述するテーブル装置Ｂにおける天板１７や、その上に載置した電気機器の配線(図示略)等を通すことができ、天板１７のレイアウト変更の許容度を大とすることができるだけでなく、上記配線を一旦床面１まで垂下させて、床面１と間仕切パネルの下端との間に形成した空間に通す必要をなくすことができる。
また、下部パネル３および上部パネル４の各枠体５と、左右の標準間仕切パネル２の枠体５とは、ボルト１５とナット１６とをもって強固に結合されているので、間仕切パネル装置Ａ全体の強度を低下させることなく、下部パネル３と上部パネル４との間に空間Ｓを形成することができる。
【００３４】
テーブル装置Ｂは、下部パネル３と上部パネル４との間の空間Ｓ内に後部が配設され、かつ上面が作業面をなす天板１７と、この天板１７を支持する天板支持手段１８とを備えている。
【００３５】
天板１７の厚さは、空間Ｓの上下寸法とほぼ同一としてもよいが、それより小として、天板１７上の配線その他のものも空間Ｓに挿通しうるようにするのがよい。
また、天板１７の左右方向の幅は、空間Ｓの左右方向の幅とほぼ同一か、またはそれより小とされている。
【００３６】
天板支持手段１８は、後部支持手段１９と前部支持手段２０とからなっている。
後部支持手段１９は、水平片２１ａと垂直片２１ｂとからなる左右方向を向くアングル材からなるブラケット２１と、下部パネル３の前面における上方のレール部１０の係合溝９の奥部に、前方に離脱不能として嵌合された左右１対の板ナット２２、２２と、ブラケット２１の垂直片２１ｂの両側部を前後方向に貫通するとともに、下部パネル３における上記レール部１０の係合溝９の開口部を通って、後端部が各板ナット２２のねじ孔２２ａに螺合することにより、垂直片２１ｂを上記レール部１０の前面に固着するようにした左右１対のボルト２３、２３と、ブラケット２１の水平片２１ａを天板１７の後部下面に圧接した状態で止着する左右１対の止めねじ２４、２４とからなっている。
【００３７】
前部支持手段２０は、下端に設けた不陸調整用のアジャスタボルト２５をもって接床し、かつ上端に設けた水平の取付板(図示略)を、天板１７の前部下面に止めねじ(図示略)等をもって固着することにより、天板１７の前部を支承するようにした左右１対の脚２７、２７を備えている。
【００３８】
このように、作業用の天板１７の一部を、下部パネル３と上部パネル４との間の空間Ｓ内に配設することによって、天板１７のレイアウト変更の許容度を大とすることができる。
【００３９】
また、後部支持手段１９と前部支持手段２０ともって、天板１７を、安定よく支持することができる。
【００４０】
図１および図２に示す本発明のワークステーション装置の第１の実施形態においては、下部パネル３および上部パネル４の両側部を支持する支持体を、ともに標準間仕切パネル２としてあるが、図３および図４は、一方の支持体を支柱とした、本発明のワークステーション装置の第２の実施形態の一部を示す。
なお、第２の実施形態において、第１の実施形態におけるのと同一または類似の部材には、同一の符号をもって図示するに止め、それらについての詳細な説明は省略する。
【００４１】
図３および図４に示すように、支持体である支柱２８は、角管状をなし、下端に設けた不陸調整用のアジャスタボルト２９をもって接床し、床面１上に立設されている。
【００４２】
下部パネル３および上部パネル４の各枠体５と、支持体である支柱２８とは、各枠体５の一方の縦杆６を支柱２８の側面に当接させて、各縦杆６と支柱２８とを左右方向に貫通する、結合手段である上下１対のボルト１５、１５と、ナット１６、１６とをもって締着することにより、互いに結合されている。
【００４３】
支柱２８の上端には、上部カバー３０、支柱２８の外側面には、側部カバー３１が、それぞれ着脱自在に装着されている。
【００４４】
第２の実施形態のような構成とすると、一端が他の間仕切パネルに連結されない間仕切パネルにおいても、上下方向の中間部に空間Ｓを形成することができ、そこにテーブル装置Ｂの天板１７や天板１７上に載置した電気機器の配線(図示略)等を挿通させることができる。
また、下部パネル３と上部パネル４とは、隣接する支柱２８に簡単かつ強固に結合され、間仕切パネル装置Ａ全体の強度を高めることができるとともに、組立作業性を向上させることができる。
【００４５】
第２の実施形態においては、下部パネル３および上部パネル４の一方の側端を支持する支持体を支柱２８とし、同じく他方の側端を支持する支持体を標準間仕切パネル２としてあるが、両側の支持体を、ともに支柱２８とすることもできる。
【００４６】
さらに、図５および図６に示す従来の例において、前方を向く左右１対の間仕切パネル５２、５２を、本発明の間仕切パネル装置のように、上下方向の中間部に、作業用天板５４の一部を配設しうる空間Ｓを設けたものとすることによって、図６に破線で示す２個の作業用天板５４、５４の両側端部を、この空間Ｓに配設し、両作業用天板５４、５４を、間仕切パネル５０、５０に沿わせて直線状に並べて配設するレイアウトが可能となる。
【００４７】
本発明は、上記実施形態のみに限定されるものではなく、特許請求の範囲を逸脱することなく、例えば、次のような幾多の変形した態様での実施が可能である。
(１)  後部支持手段１９を省略し、天板１７の前後方向の中間部を空間Ｓに挿通し、天板１７の前後の端部に、左右１対の脚２７、２７をそれぞれ設ける。
(２)  左右１対の脚２７、２７に代えて、天板１７の左右方向の中央部に１本の脚２７を設ける。
【符号の説明】
【００４８】
Ａ  間仕切パネル装置
Ｂ  テーブル装置
Ｓ  空間
１  床面
２  標準間仕切パネル(支持体)
３  下部パネル
４  上部パネル
５  枠体
６  縦杆
７  横杆
８  中間部連結杆
９  係合溝
１０  レール部
１１  化粧パネル
１２  フック
１３  係合孔
１４  アジャスタボルト
１５  ボルト(結合手段)
１６  ナット(結合手段)
１７  天板
１８  天板支持手段
１９  後部支持手段
２０  前部支持手段
２１  ブラケット
２１ａ水平片
２１ｂ垂直片
２２  板ナット
２３  ボルト
２４  止めねじ
２５  アジャスタボルト
２７  脚
２８  支柱(支持体)
２９  アジャスタボルト
３０  上部カバー
３１  側部カバー
【図１】
0005784984.tif 000002
【図２】
0005784984.tif 000003
【図３】
0005784984.tif 000004
【図４】
0005784984.tif 000005
【図５】
0005784984.tif 000006
【図６】
0005784984.tif 000007